(57)【要約】【課題】  本発明の課題は、唐箕とプレファンとを有効な配置関係とし、揺動選別棚への送風作用を効果的にならしめ、風選効果を向上させることを目的とする。【解決手段】  本発明は、扱室（２）の前部下方に設けた唐箕（２０）の上方及び後方にわたって移送棚部（１２）とシーブ部（１３，１４）を有した揺動選別棚（１１）を設け、前記唐箕（２０）の前側上方には、揺動選別棚（１１）の移送棚部（１２）後部とファーストシーブ部（１３）に選別風路（２６）を通じて選別風を供給するプレファン（１９）を設け、前記選別風路（２６）は、前記唐箕（２０）のケーシング（２４）の一部をガイドとし、且つ、該唐箕ケーシング（２４）と略平行に上部ガイド（２５）を設けて上向きの風路を構成する。【選択図】      図１
2016220581.tif 000002
【特許請求の範囲】
【請求項１】
扱室（２）の前部下方に設けた唐箕（２０）の上方及び後方にわたって移送棚部（１２）とシーブ部（１３，１４）を有した揺動選別棚（１１）を設け、前記唐箕（２０）の前側上方には、揺動選別棚（１１）の移送棚部（１２）後部とファーストシーブ部（１３）に選別風路（２６）を通じて選別風を供給するプレファン（１９）を設け、前記選別風路（２６）は、前記唐箕（２０）のケーシング（２４）の一部をガイドとし、且つ、該唐箕ケーシング（２４）と略平行に上部ガイド（２５）を設けて上向きの風路を構成してある脱穀装置。
【請求項２】
前記移送棚部（１２）の後部に、穀粒が通過しない程度の大きさの通気孔（２７）を設けた構成としてある請求項１記載の脱穀装置。
【請求項３】
前記通気孔（２７）を前記揺動選別棚（１１）の全幅にわたって複数設けた構成としてある請求項２記載の脱穀装置。
【発明の詳細な説明】
【技術分野】
【０００１】
この発明は、穀稈を脱穀する脱穀装置に関する。
【背景技術】
【０００２】
従来、扱室の始端部(前部)下方に主選別風路に選別風を送る唐箕を設け、該唐箕の上方及び後方に位置して移送棚部と移送棚部の後側に設けたシーブ等を有した揺動選別棚を設け、移送棚部と唐箕との間のプレ風路を通じてシーブに送風するプレファンを設けた構成は知られている（例えば、特許文献１参照）。
【先行技術文献】
【特許文献】
【０００３】
【特許文献１】特開２０１２−２４４９４２号公報
【発明の概要】
【発明が解決しようとする課題】
【０００４】
従来例では、揺動選別棚の開口部が上下方向に開口しているため、プレファンの送風が後方に流れにくく、風選効果が低下する課題がある。
【０００５】
また、移送棚部から移送されたワラ屑等がシーブの各フイン間に詰るという課題もある。
【０００６】
本発明による課題は、唐箕とプレファンとを有効な配置関係とし、揺動選別棚への送風作用を効果的にならしめ、風選効果を向上させることを目的とする。
【課題を解決するための手段】
【０００７】
この発明は、上記課題を解決すべく次のような技術的手段を講じた。
【０００８】
すなわち、請求項１記載の発明は、扱室（２）の前部下方に設けた唐箕（２０）の上方及び後方にわたって移送棚部（１２）とシーブ部（１３，１４）を有した揺動選別棚（１１）を設け、前記唐箕（２０）の前側上方には、揺動選別棚（１１）の移送棚部（１２）後部とファーストシーブ部（１３）に選別風路（２６）を通じて選別風を供給するプレファン（１９）を設け、前記選別風路（２６）は、前記唐箕（２０）のケーシング（２４）の一部をガイドとし、且つ、該唐箕ケーシング（２４）と略平行に上部ガイド（２５）を設けて上向きの風路を構成してある脱穀装置とする。
【０００９】
請求項２記載の発明は、前記移送棚部（１２）の後部に、穀粒が通過しない程度の大きさの通気孔（２７）を設けた構成としてある請求項１記載の脱穀装置とする。
【００１０】
請求項３記載の発明は、前記通気孔（２７）を前記揺動選別棚（１１）の全幅にわたって複数設けた構成としてある請求項２記載の脱穀装置とする。
【発明の効果】
【００１１】
請求項１記載の発明によれば、選別風路（２６）は、唐箕のケーシング（２４）の一部をガイドとし、且つ、該ケーシング（２４）と略平行する上部ガイド（２５）によって上向きの風路を構成するものであるため、構成が簡単であるばかりでなく、上向きの風路によって風選効果を向上させることができる。
【００１２】
請求項２記載の発明によれば、請求項１記載の発明による効果に加えて、移送棚部（１２）の後部に形成した通気孔（２７）によって下から吹き抜ける風で穀粒の予備選別が可能となり、風選別能力が向上する。
【００１３】
請求項３記載の発明によれば、請求項１又は請求項２記載の発明による効果に加えて、移送棚部の通気孔（２７）は、選別棚（１１）の全幅にわたって設けられているため、移送棚上の処理物は均分化され、選別棚（１１）における選別処理能力が更に向上する。
【図面の簡単な説明】
【００１４】
【図１】コンバイン用脱穀装置の側断面図
【図２】同上要部の正断面図
【図３】揺動選別棚の要部の平面図
【図４】同上要部の平面図
【図５】脱穀装置の要部の側面図
【図６】脱穀装置の要部の正面図
【図７】脱穀フィードチェン支持部の要部の側面図
【図８】同上要部の正面図
【図９】脱穀フィードチェン支持部の要部の側面図
【発明を実施するための形態】
【００１５】
この発明の実施例を図面に基づき説明する。
【００１６】
図１及び図２に示すコンバインの脱穀装置（脱穀部）は、次のような構成になっている。
【００１７】
すなわち、脱穀部１は、扱室２の一側に張設された脱穀フィードチェン４により株元を挟持しながら搬送される穀稈の穂先部を扱室２内で駆動回転する扱胴３により脱穀処理するよう構成している。扱室２の下半周部には受網５が張設され、扱胴３の上部を覆う扱胴カバー６は、扱室の一側を支点として揺動開閉する構成である。
【００１８】
扱室２のフィードチェン４側とは反対側には、扱室からの２番処理物を受け入れて脱粒処理する２番処理胴７が扱胴３と平行して２番処理室内に軸架されている。２番処理胴７の後方にはこれと同一軸芯上において排塵処理胴８が排塵処理室内に架設されている。
【００１９】
排塵処理胴の始端部は、脱穀部１の扱胴３の終端部と側面視において重ねるように配置し、扱室２の終端と排塵処理室の始端とを連通口９により連通させている。扱胴３は、連通口９より後方に延長させ、扱胴３の終端の周囲をささり回収１０に構成している。
【００２０】
扱室２下方の揺動選別装置（揺動選別棚）１１は、揺動機構を介して前後方向に揺動運動し、脱穀処理後の処理物を受け入れて揺動移送しながらふるい選別する構成であり、選別方向上手側から移送棚部１２、ファーストシーブ１３、チャフシーブ１４、ストロ−ラック１５の順に配置し、且つ、前記チャフシ−ブ１４の下方にグレンシ−ブ１６、１番戻し棚１７、２番戻し棚１８を配置して設けた構成としている。
【００２１】
また、揺動選別棚１１の下方には、選別方向の上手側から順に、プレファン１９、唐箕２０と、１番ラセン２１、２番ラセン２２と、その上方に排塵フアン２３を設けて排塵選別室を構成している。
【００２２】
前記プレファン１９は、唐箕２０の前側上部に配置され、唐箕２０と同方向に回転され、唐箕２０のケーシング２４の一部をガイドとし、且つ、該ケーシング２４と略平行に上部ガイド２５を設けて上向きのプレ風路（選別風路）２６を構成している。
【００２３】
プレファン１９からのプレ風路２６は、移送棚部１２の後部とファーストシーブ１３を吹き上げ送風する構成であり、唐箕２０は、チャフシーブ１４、ストローラック１５、グレンシーブ１６に向けて風を送って風選する構成である。
【００２４】
前記移送棚部１２は、前後に異なる形状とし、前部側には寄せ板１２ａを有し、そして、移送棚部の後部を穀粒が漏れない程度の通気孔２７を設けた構成としてある。また、通気孔２７は、選別棚の全幅にわたって無数に設けた構成としている。
【００２５】
扱室２の受網５から漏下する脱穀処理物は、下方の揺動選別棚１１上に落下するが、扱室始端側から落下する処理物は、移送棚部１２上に落下してファーストシーブ１３上へ移送され、移送棚部１２後部からファーストシーブ１３に移送されるときに、プレファン１９から上向きに吹き抜ける風によって風選される。
【００２６】
唐箕２０からの主選別風は、チャフシーブ１４、ストローラック１５、グレンシーブ１６等を経て風選される。
【００２７】
唐箕２０に回転を伝達するカウンタ軸３５のプーリ３６と、唐箕２０の唐箕プーリ３７に掛け回したベルト３８を、プレファン１９のプーリ３９に掛け回し、唐箕２０とプレファン１９とを同一のベルト３８で駆動伝達する構成としている。
【００２８】
ファーストシーブ１３には、揺動選別棚の前後揺動方向に並行で且つ左右方向所定間隔置きに配設した清掃プレート２９と、各固定シーブ２８の上面に接触して付着物を除去するシーブスクレーパ３０とからなる。
【００２９】
清掃プレート２９は、上下方向垂直状に立設してあり、そして、各プレート２９には固定シーブ２８の断面形状に合わせたガイド穴を穿設し、各ガイド穴に各固定シーブ２８を挿通してスライド案内する構成としている。
【００３０】
シーブスクレーパ３０は、上下方向に傾斜する固定シーブ２８の傾斜上面に接触して摺接移動により付着物を除去するものである。
【００３１】
また、シーブスクレーパ３０は、駆動モータ等回転駆動により、互い違いに引き操作する一対の操作ケーブル３１，３１、往復回動する天秤アーム３２、天秤アーム軸３３、往復回動する揺動アーム３４等の連動機構を介して左右横方向に往復動すべく連動構成している。
【００３２】
次に、図６〜図８に示す実施例について説明すると、脱穀フィドチェン４へのエンジンからの回転伝達経路として、刈取部に伝達される走行速度に同調させた変速回転伝動経路と、脱穀部１に伝達される定速回転伝動経路との二系統の伝動経路により駆動する構成とし、脱穀フイードチェン４は、変速回転伝動経路と定速回転伝動経路との何れかから伝達する構成としている。
【００３３】
変速回転伝動経路と定速回転伝動経路との切替は、それぞれの変速用クラッチと定速用クラッチを介して、単一のモータで切り替えるように構成している。
【００３４】
脱穀フィードチェン４の始端側駆動スプロケット４０を変速回転伝動経路とし、終端側駆動スプロケット４１を定速回転伝動経路としている。
【００３５】
そして、前後の駆動スプロケット４０，４１の間の非搬送面側（下側）の前方スプロケット４０側にチェン緩み側のチェンスラシ４２を網抑え４３支持部４４より設けた構成としている。
【００３６】
一定速駆動時にチェンが弛み垂れ下がるのを規制することができ、また、前後の駆動スプロケットの間の非搬送面は開放しており、切り替え時のタイミングのずれによるチェンの長さの変化を吸収し、また、チェンスラシを網抑え支持部より設けることで、剛性を確保できる。
【００３７】
なお、図９例では、チェン緩み側のチェンスラシ４２は、前後の網抑え支持部(前)４４Ｆ，網抑え支持部(後)４４Ｒより設けることで前後幅広く構成しても良い。要するに、チェンスラシを前後の網抑え支持部より設けることで、剛性を確保でき、前後幅広く構成することで、弛み量を少なく規制できる。
【符号の説明】
【００３８】
２    扱室
１１    揺動選別棚
１２    移送棚部
１３    ファーストシーブ
１４    チャフシーブ
１９    プレファン
２０    唐箕
２４    唐箕ケーシング
２５    上部ガイド
２６    プレ風路
２７    通気孔
【図１】
2016220581.tif 000003
【図２】
2016220581.tif 000004
【図３】
2016220581.tif 000005
【図４】
2016220581.tif 000006
【図５】
2016220581.tif 000007
【図６】
2016220581.tif 000008
【図７】
2016220581.tif 000009
【図８】
2016220581.tif 000010
【図９】
2016220581.tif 000011